(57)【要約】【課題】建設機械のキャビン全体を冷暖房するだけでなく、オペレータの手先を冷却または保温並びに乾燥する。【解決手段】コンソール１２の前部位置にリモコンバルブの操作レバー１６を突設させた建設機械に於いて、コンソール１２の表面には操作レバー１６の前後左右の位置に吹き出し口１８，１８…を設け、該吹き出し口１８，１８…から操作レバー１６の操作範囲に向けて冷風または温風を送風するように構成する。【選択図】  図２
2004169334.tif 000002
【特許請求の範囲】
【請求項１】
オペレータシートの左右にコンソールを設け、夫々のコンソールの前部位置にアクチュエータを動かすためのリモコンバルブを配設し、該リモコンバルブの操作レバーを前記コンソールの表面に突設させた建設機械に於いて、前記コンソールの表面にはオペレータの手及び腕若しくは前記操作レバーの操作範囲に向けて送風する吹き出し口を設けたことを特徴とする建設機械のコンソール送風装置。
【請求項２】
上記操作レバーの前後左右の何れかの位置若しくは前後左右の複数の位置に、上記吹き出し口を設けた請求項１記載の建設機械のコンソール送風装置。
【請求項３】
上記吹き出し口に接続されている送風ダクトには風量調整バルブが設けられ、且つ、該風量調整バルブの調整装置を上記コンソールの表面に設けた請求項１または２記載の建設機械のコンソール送風装置。
【請求項４】
上記吹き出し口から冷風または温風を吹き出すようにした請求項１，２または３記載の建設機械のコンソール送風装置。
【発明の詳細な説明】
【０００１】
【発明の属する技術分野】
本発明は建設機械のコンソール送風装置に関するものであり、特に、コンソールに設けられたリモコンバルブの操作レバーへ冷風または温風を送風する装置に関するものである。
【０００２】
【従来の技術及び発明が解決しようとする課題】
油圧ショベル等の建設機械では、キャビンのドアを開放してオペレータが外部の者と常にコンタクトを取りながら作業をし、或いは、頻繁にキャビンから乗り降りすることが多い。そのため、冬場ではオペレータの手先が冷えて操作レバーがうまく操作できないという不具合があった。また、夏場では手が汗ばむため不快感を覚えるとともに、操作レバーを把持している手が滑ることも考えられるので危険であった。
【０００３】
一般に建設機械のキャビンに搭載されているエアコンユニットは、キャビン全体を冷暖房するように形成されているので、オペレータの手先に冷風または温風を送ることはできない。電装パネルに冷風の吹き出し口を設けた建設車両も知られているが（例えば、実用新案文献１参照）、冷風のみを吹き出すため、冬季での使用には向いていない。
【０００４】
【実用新案文献１】
実開平４−１１７０５０号公報
そこで、建設機械のキャビン全体を冷暖房するだけでなく、オペレータの手先を冷却または保温並びに乾燥するために解決すべき技術的課題が生じてくるのであり、本発明はこの課題を解決することを目的とする。
【０００５】
【課題を解決するための手段】
本発明は上記目的を達成するために提案されたものであり、オペレータシートの左右にコンソールを設け、夫々のコンソールの前部位置にアクチュエータを動かすためのリモコンバルブを配設し、該リモコンバルブの操作レバーを前記コンソールの表面に突設させた建設機械に於いて、前記コンソールの表面にはオペレータの手及び腕若しくは前記操作レバーの操作範囲に向けて送風する吹き出し口を設けた建設機械のコンソール送風装置、
及び、上記操作レバーの前後左右の何れかの位置若しくは前後左右の複数の位置に、上記吹き出し口を設けた建設機械のコンソール送風装置、
及び、上記吹き出し口に接続されている送風ダクトには風量調整バルブが設けられ、且つ、該風量調整バルブの調整装置を上記コンソールの表面に設けた建設機械のコンソール送風装置、
及び、上記吹き出し口から冷風または温風を吹き出すようにした建設機械のコンソール送風装置を提供するものである。
【０００６】
【発明の実施の形態】
以下、本発明の一実施の形態を図面に従って詳述する。図１は建設機械の一例として油圧ショベルのキャビン１０を示し、オペレータシート１１の左右両側にコンソール１２，１３が設けられ、夫々のコンソール１２，１３の前部位置にアクチュエータを動かすためのリモコンバルブ１４，１５を配設する。夫々のリモコンバルブの操作レバー１６，１７はコンソール１２，１３の表面に突設させてあり、オペレータが該操作レバー１６，１７を把持して前後左右に操作し易いようにしてある。また、前記コンソール１２，１３の表面には、該操作レバー１６，１７の前後左右の何れかの位置若しくは前後左右の複数の位置に、該操作レバー１６，１７の操作範囲に向けて送風する吹き出し口１８，１８…を設けてある。
【０００７】
図２乃至図４は一方のコンソール１２を示し、該コンソール１２内のフレーム２０にリモコンバルブ１４を固定し、操作レバーのシャフト１６ａをブーツカバー２１にて被蔽する。ブーツカバー２１の下部は吹き出しダクト２２にて囲繞される。該吹き出しダクト２２は、樹脂成型にて円形ドーナツ状若しくは角形輪状に形成され、エアが流通できるように内部が連通している。
【０００８】
そして、該吹き出しダクト２２の上面に前記吹き出し口１８，１８…が設けられ、該吹き出しダクト２２の下面適宜位置にエアコンユニットからの送風ダクト２３が接続されている。本実施の形態では、前記操作レバー１６の前後左右の各位置に夫々複数の吹き出し口１８，１８…を設けてあり、操作レバー１６の後部側に送風ダクト２３を接続してある。
【０００９】
前記送風ダクト２３にはエアコンユニットから冷風または温風が送風されるが、該送風ダクト２３の途中に風量調整バルブ２４を設け、該風量調整バルブ２４の開度を調整するためのレバー２５を前記コンソール１２の表面に設けてある。従って、オペレータがこのレバー２５を回動することにより、該風量調整バルブ２４の開度が増減して、前記吹き出し口１８，１８…から吹き出される風量を簡単に調整できるようにしてある。
【００１０】
而して、図５に示すように、オペレータが把持する操作レバー１６の操作範囲に向けて、前記吹き出し口１８，１８…から吹き出される冷風または温風が送風されるため、オペレータの手先は冷風または温風によって冷却または保温並びに乾燥される。従って、夏場の作業では、前記吹き出し口１８，１８…から吹き出される冷風によって、手の汗ばみによる不快感や手の滑りによる操作レバー１６の誤操作を防止でき、快適な作業を行うことができるとともに作業の安全性を確保できる。一方、冬場の作業では、前記吹き出し口１８，１８…から吹き出される温風によって手先の冷えを防止でき、操作レバー１６を円滑に操作することができる。
【００１１】
図６は他の実施の形態を示し、前記吹き出しダクト２２をなくして操作レバーのシャフト１６ａの周りに吹き出し口２８を設けてある。該吹き出し口２８は前記送風ダクト２３に接続されている。斯かる構成の場合は、冷風または温風が操作レバー１６の把持部１６ｂに直接送風されるので、オペレータの手先をより確実に冷却または保温並びに乾燥することができる。
【００１２】
図７は更に他の実施の形態を示し、前記吹き出しダクト２２の下面にも吹き出し口２９を設けてある。斯かる構成の場合は、冷風をコンソール１２の内部に送風することができ、リモコンバルブ１４に冷風を当てて発熱を抑止することができる。このため、従来はリモコンバルブ１４の温度上昇により、コンソール１２からオペレータの脚部に局部的な熱が伝わって不快感を及ぼしていたが、リモコンバルブ１４を冷却することによってオペレータの不快感をなくすことができる。
【００１３】
尚、本実施の形態では一方のコンソール１２についてのみ説明したが、他方のコンソール１３についても同様の構成であり、且つ、同様の作用効果を奏するものである。また、本発明は、本発明の精神を逸脱しない限り種々の改変を為すことができ、そして、本発明が該改変されたものに及ぶことは当然である。
【００１４】
【発明の効果】
本発明は上記一実施の形態に詳述したように、請求項１記載の発明は、コンソールの表面に操作レバーの操作範囲に向けて送風する吹き出し口を設けたことにより、該吹き出し口から吹き出される冷風または温風によって前記操作レバーを把持するオペレータの手先が冷却または保温並びに乾燥される。従って、夏場の作業では、手の汗ばみによる不快感や手の滑りによる操作レバーの誤操作を防止でき、快適な作業を行うことができるとともに作業の安全性を確保できる。一方、冬場の作業では、手先の冷えを防止でき、操作レバーを円滑に操作することができる。
【００１５】
請求項２記載の発明は、上記操作レバーの前後左右の何れかの位置若しくは前後左右の複数の位置に上記吹き出し口を設けたことにより、請求項１記載の発明の効果に加えて、操作レバーを把持するオペレータの手先に向けて冷風または温風を確実に送風することができる。
【００１６】
請求項３記載の発明は、上記吹き出し口に接続されている送風ダクトには風量調整バルブが設けられ、その調整装置を上記コンソールの表面に設けたことにより、請求項１または２記載の発明の効果に加えて、吹き出し口から送風される冷風または温風の風量を簡単且つ確実に調整することが可能であり、操作性を向上することができる。
【００１７】
請求項４記載の発明は、上記吹き出し口から冷風または温風を吹き出すようにしたことにより、請求項１，２または３記載の発明の効果に加えて、夏冬の季節を問わずに年間を通じてオペレータの手先を快適な状態に保持することができる。
【図面の簡単な説明】
図は本発明の一実施の形態を示すものである。
【図１】油圧ショベルのキャビンを示す斜視図。
【図２】一方のコンソールを示し、（ａ）は斜視図、（ｂ）は同図（ａ）のＡ矢視図。
【図３】一方のコンソールの要部を示す縦断側面図。
【図４】一方のコンソールの要部を示す分解斜視図。
【図５】一方のコンソールの送風状態を示す要部の斜視図。
【図６】他の実施の形態を示す要部の縦断側面図。
【図７】更に他の実施の形態を示す要部の縦断側面図。
【符号の説明】
１１            オペレータシート
１２，１３      コンソール
１４，１５      リモコンバルブ
１６，１７      操作レバー
１８            吹き出し口
２２                        吹き出しダクト
２３            送風ダクト
２４            風量調整バルブ
２５            レバー
２８，２９      吹き出し口
【図１】
2004169334.tif 000003
【図２】
2004169334.tif 000004
【図３】
2004169334.tif 000005
【図４】
2004169334.tif 000006
【図５】
2004169334.tif 000007
【図６】
2004169334.tif 000008
【図７】
2004169334.tif 000009